(57)【特許請求の範囲】
【請求項１】
走査体により走査することにより原稿の画像を読み取る画像読取装置において、
前記走査体の移動を支持するためのレール部材と、
前記走査体を支持すると共に、前記レール部材上を移動する支持部材と、
前記レール部材と前記支持部材との間の接点となる、前記支持部材に設けられた第１の接触部材と、
前記レール部材と前記支持部材との間の接点となる、前記支持部材に設けられ、前記レール部材と前記支持部材との間の高さを調整可能な第２の接触部材と、を備え、
前記支持部材は、前記走査体に対して回動自在に前記走査体を支持していることを特徴とする画像読取装置。
【請求項２】
前記第２の接触部材が、
前記支持部材と嵌合する雄ネジ部を備え、前記支持部材に対して回転することにより、
前記レール部材と前記支持部材との間の高さの調整が行われることを特徴とする請求項１に記載の画像読取装置。
【請求項３】
前記支持部材が、前記走査体を移動させるためのプーリーを備え、
該プーリーの軸が、前記支持部材を前記走査体に軸支するための軸と同心であることを特徴とする請求項１に記載の画像読取装置。
【請求項４】
上記請求項１に記載の画像読取装置により読み取られた画像をシート材に形成する画像形成手段を備えることを特徴とする画像形成装置。
【発明の詳細な説明】
【０００１】
【発明の属する技術分野】
本発明は、原稿の画像情報を読み取る画像読取装置及びこのような画像読取装置を備える画像形成装置に関するものである。
【０００２】
【従来の技術】
従来、原稿をプラテンガラス上に固定し、その原稿画像面を露光走査し、画像情報を感光ドラムや、光電変換素子上に結像させる画像読取装置としては、図４に示すような装置がある。図４に、従来の画像読取装置の断面図を示す。
【０００３】
図４に示されるように、従来の画像読取装置において、第１ミラー台１は、矢印２方向に一定速度で移動し、ランプ３によりプラテン４上の原稿を露光する。
【０００４】
また、第２ミラー台５の両端にはワイヤープーリー２１があり、第１ミラー台１から伸びるワイヤー２２に引かれることにより第２ミラー台５は、第１ミラー台１の速度の略１／２の速度で第１ミラー台１と同期して、矢印２方向に移動する。
【０００５】
第１ミラー台１及び第２ミラー台５はともに光学レール６の上に固定式のスライダー７、８、９と、スライダー取付け板１０、１１を介して支持されている。
【０００６】
次に、図４に示される第２ミラー台５について図５を参照して説明する。図５に、図４に示される第２ミラー台５の長手側面図を示す。
【０００７】
図５に示されるように、レール６ａ、６ｂは第１ミラー台１及び第２ミラー台５の長手方向両端にあり、それぞれのレールに各ミラー台がスライダー部材２個ずつで高さ方向に支持されている。
【０００８】
そして、ミラー台の移動により露光走査された原稿の反射光は、図４の第１ミラー１２、第２ミラー１３、第３ミラー１４で折り返され、レンズ１５により光電変換素子１６に結像される。
【０００９】
このような画像読取装置の組み立てに際しては、プラテン上の原稿の画像を忠実に再現するために、精度よく読み取りを行えるように、ミラーやレンズ、光電変換素子の位置調整が行われる。
【００１０】
上述の位置調整について図５及び図６を参照して説明する。図６に、図４に示される画像読取装置における位置調整の概略図を示す。
【００１１】
図６に示されるように、例えば、プラテン４からレンズ１５、レンズ１５から光電変換素子１６までの距離を調整することで読み取り画像の倍率が調整される。（図６の（ａ）、破線）
【００１２】
また、図５の（ａ）の破線で示すように第２ミラーフレーム１７’は、第２ミラー台５の長手方向の高さの傾きを変えることで、原稿上でミラー台の走査方向と直角方向の直線の傾きが調整される。（図６の（ｂ）、破線）
【００１３】
この傾きを調整するためには、従来、図５の（ａ）、及び図５の（ｂ）に示すように第２ミラー台５の長手方向片側のスライダー取付け板１１と第２ミラーフレーム１７との結合高さを調整していた。（矢印２０方向）
【００１４】
以上のような位置調整により、従来の画像読取装置は精度良く画像の読み取りを行なうことができるとしていた。
【００１５】
【発明が解決しようとする課題】
しかしながら、上記のような従来技術では、画像読み取り精度を向上させることができない場合があるという問題点を有している。
【００１６】
例えば、前述の図４に示される画像読取装置を例に上記問題点について説明すると、図４に示される画像読取装置では、４点のスライダーの平面性を保ったまま、平行にスライダー取付け板１１を調整することは困難で、スライダーのレールからの浮きが発生し、画像読み取り走査時に第２ミラー台５が振動し、画像ブレ等の問題を引き起こしていた。
【００１７】
そこで、その解決手段としては、例えば図７に示されるような構成の画像読取装置が提案された。図７に、従来の画像読取装置の第２ミラー台の構造図を示す。
【００１８】
図７に示されるように従来の画像読取装置は、第２ミラーフレーム１７両端にそれぞれスライダー取付け板２３、２５を別体で設け、一方の高さ調整用のスライダー取付け板２３が第２ミラーフレーム１７に対し、矢印２７方向に高さ調整可能に結合され、他方のスライダー取付け板２５は第２ミラーフレーム１７に固定された支点軸２４を支点として揺動自在に取り付けられる機構である。
【００１９】
このような構成であると、画像のブレ等を抑えつつ、高さ調整を行ない得るとしている。
【００２０】
しかしながら、図７に示される構成でも高さ調整時には、高さ調整用のスライダー取付け板２３と第２ミラーフレーム１７との結合を緩められることが必要であり、機構が複雑になるとともに、調整後再び結合してもその結合強度が不十分となりミラー台の振動等の問題を引き起こす。
【００２１】
また、その結合部を十分な強度で固定した場合には、上記傾き調整（第２ミラー台高さ調整）の作業が煩雑になり、組み立て時の調整工程に時間がかかってしまう。
【００２２】
本発明は上記事情に鑑みなされたもので、簡易な構成で走査体の移動を安定させ、画像ブレを防止し、画像読み取り精度を向上させることが可能な画像読取装置及び画像形成装置を提供することを目的とする。
【００２３】
【課題を解決するための手段】
上記目的を達成するために、本発明に係る画像読取装置は、
走査体により走査することにより原稿の画像を読み取る画像読取装置において、
前記走査体の移動を支持するためのレール部材と、
前記走査体を支持すると共に、前記レール部材上を移動する支持部材と、
前記レール部材と前記支持部材との間の接点となる、前記支持部材に設けられた第１の接触部材と、
前記レール部材と前記支持部材との間の接点となる、前記支持部材に設けられ、前記レール部材と前記支持部材との間の高さを調整可能な第２の接触部材と、を備え、
前記支持部材は、前記走査体に対して回動自在に前記走査体を支持していることを特徴とする。
【００２４】
また、前記第２の接触部材が、
前記支持部材と嵌合する雄ネジ部を備え、前記支持部材に対して回転することにより、
前記レール部材と前記支持部材との間の高さの調整が行われることを特徴とする。
【００２７】
また、前記支持部材が、前記走査体を移動させるためのプーリーを備え、該プーリーの軸が、前記支持部材を前記走査体に軸支するための軸と略同心であることを特徴とする。
【００２８】
さらに、本発明に係る画像形成装置は、上記画像読取装置により読み取られた画像をシート材に形成する画像形成手段を備えることを特徴とする。
【００２９】
したがって、本発明に係る画像読取装置及び画像形成装置によれば、支持部材に高さ調整が可能な接触部材を備えているため、高さ調整を容易に行なうことができ、接触部材がレール部材から浮くことはなく、走査体の移動中にレール部材の平面性が異なった場合であっても、画像ブレを防止し、振動や異音等を発生させることなく安定して画像読み取りを行なうことができる。
【００３０】
また、例えば第２の接触部材を一箇所のみ形成するとすれば、調整時間の短縮を図ることができる。
【００３１】
また、第２の接触部材が支持部材と嵌合する雄ネジ部を備え、支持部材に対して回転することによりレール部材と支持部材との高さ調整が行われるため、調整を容易に行なうことができると共に、ネジピッチを細かくすることで、より精度の良い調整を行なうことができる。
【００３３】
また、走査体を移動させるためのプーリーの軸が支持部材を走査体に軸支するための軸と同心であるため、装置の各構成部品の組み立てが容易になるとともに、プーリーによる走査体の移動が、走査体の重心付近を牽引して行われることとなり、走査体の牽引のアンバランスがなくなり、より安定した画像読み取りを行なうことができる。
【００３４】
【発明の実施の形態】
以下に図面を参照して、この発明の好適な実施の形態を例示的に詳しく説明する。ただし、この実施の形態に記載されている構成部品の寸法、材質、形状、その相対配置などは、特に特定的な記載がない限りは、この発明の範囲をそれらのみに限定する趣旨のものではない。
【００３５】
（第１の実施形態）
まず、本発明に係る画像読取装置の第１の実施形態について図面を参照して説明する。
【００３６】
図１に、本発明に係る画像読取装置の第１の実施形態が備える第２ミラー台の斜視図を示し、図２に、図１に示されるミラー台の平面図を示し、図２の（ａ）に図１に示されるミラー台の上面図、図２の（ｂ）に図１に示されるミラー台の正面図、図２の（ｃ）及び図２の（ｄ）に図１に示されるミラー台の側面図を示す。
【００３７】
また、本発明に係る画像読取装置の第１の実施形態は、図１及び図２に示される第２ミラー台以外の部分は前述の従来技術を適用できるため、全体構成の詳細な説明を省略する。そのため、適宜、従来技術の説明で用いた図４から図７を参照して以下の説明を行なう。また、以下の図面において、従来技術の説明で用いた図４から図７に示される部材と同様な部材には同じ番号を付す。また、本発明に係る画像読取装置の実施形態が適用される装置としては例えばスキャナを挙げることができる。
【００３８】
図１及び図２に示されるように、本発明に係る画像読取装置の第１の実施形態が具備する第２ミラー台５は、走査体としての第２ミラーフレーム１７と、第１の接触部材としてのそのフレームに固定された２つの固定式のスライダー８、９と、スライダー取付け板２５を軸支するための軸としての第２ミラーフレーム１７側面に固定された支点軸２４と、その支点軸２４に回転可能に取り付けられた支持部材としてのスライダー取付け板２５と、第２ミラーフレーム１７と一体的に設けられた第１の支持部材としてのスライダー取付け板２８とを備える。
【００３９】
さらに、スライダー取付け板２５に固定された固定式の第１の接触部材としてのスライダー１８と、雄ネジ部１９ｂを備える第２の接触部材としての高さ調整用スライダー１９と、第２ミラーフレーム１７に固定された折り返しミラーである第２ミラー１３及び第３ミラー１４と、ミラー台をワイヤーにより牽引するためのプーリーとしてのワイヤープーリー２１とにより構成される。
【００４０】
この第２ミラー台５は、まず、第２ミラー台ユニットとして単体での組立てが行われ、高さ調整式のスライダー１９は基準高さに調整される。
【００４１】
そして、ユニット状態で調整された第２ミラー台５は、本体のレール部材としてのレール６ａ、及び第１のレール部材としてのレール６ｂ上にセットされレンズ１５や、光電変換素子１６、第１ミラー台１の位置調整により、倍率や走査位置が調整されるとともに、第２ミラー台５の高さ調整式のスライダー１９を上下動させることにより、光軸の傾き、すなわちミラー台の走査方向と直交する方向の読み取り位置の傾きが補正される。
【００４２】
すなわち、第２ミラー台５は基準となる一方のレール６ｂ上に、高さ固定式のスライダー８、９が乗り基準位置が決まる。
【００４３】
そして他方のレール６ａ側にはスライダー取付け板２５に固定された固定式のスライダー１８と、雄ネジ部１９ｂが切られドライバー等の工具により回転させることにより先端部１９ａがスライダー取付け板２５に対して上下動するような高さ調整式のスライダー１９が乗る。
【００４４】
スライダー取付け板２５は第２ミラーフレーム１７に対して支点軸２４により軸支され、矢印２６方向に揺動自在になっている。
【００４５】
すなわち基準となるレール６ｂ面に対してレール６ａ面の平面性や平行性が多少ずれている場合でも、スライダー取付け板２５が揺動することにより、常に４点の各スライダー８、９、１８、１９は各々のレール６ａ、６ｂ上に確実に接地する。
【００４６】
さらに、光軸の傾きを調整する場合には、一つの高さ調整式スライダー１９を回転させることで、支点軸２４の高さも上下に調整され、第２ミラーフレーム１７は図５に示される１７、１７’のように移動し光路が調整される。
【００４７】
そして、光学位置の調整が終了したら、高さ調整式のスライダー１９はスライダー取付け板２５に接着材やナット等で固定される。
【００４８】
このように、本発明に係る画像読取装置の第１の実施形態においては、高さ調整が行われた後にもスライダー取付け板２５が支点軸２４を支点として矢印２６方向に傾くことにより、４個のスライダー８、９、１８、１９はレール６ａ及びレール６ｂの上面から浮くことはなく、走行中にレールの平面性が多少異なった場合でも、振動や異音を発生することなく安定した画像読み取りを行うことができる。
【００４９】
また、一つの高さ調整式のスライダー１９を、ネジ式で上下動させる構成とすることで調整工程が容易になり、ネジピッチを細かくすることで、より精度の良い調整が可能となる。
【００５０】
（第２の実施形態）
次に、本発明に係る画像読取装置の第２の実施形態について図３を参照して説明する。図３に、本発明に係る画像読取装置の第２の実施形態の第２ミラー台の斜視図を示す。
【００５１】
ただし、以下に説明する第２の実施形態において、前述の第１の実施形態と同様に、図３に示される第２ミラー台以外の部分は前述の従来技術を適用できるため、全体構成の詳細な説明を省略する。
【００５２】
そのため、適宜、従来技術の説明で用いた図４から図７を参照して以下の説明を行なう。また、以下の図面において、図１、図２及び図４に示される部材と同様な部材には同じ番号を付す。
【００５３】
図３に示されるように、本実施形態は、スライダー取付け板２５を軸支するための軸としての支点軸２４を伸ばし、プーリーとしてのワイヤープーリー２１の回転支軸を兼用した例である。
【００５４】
すなわち、この実施形態では前述の第１の実施形態と同様の効果が得られると共に、構成部品が減り組み立てが容易になるばかりでなく、支点軸２４を第２ミラー台５の重心付近に設けることにより、第２の接触部材としての高さ調整式のスライダー１９で光学調整をした後にもワイヤーは常に第２ミラー台の重心付近を牽引することになり、第２ミラー台５両端のワイヤー牽引位置のアンバランスが無くなり、より安定した走査を行うことができるようになる。
【００５５】
（画像形成装置の実施形態）
次に本発明に係る画像形成装置の実施形態について説明する。本発明に係る画像形成装置の実施形態は、上記本発明に係る画像読取装置の第１の実施形態、若しくは第２の実施形態を具備した実施形態である。
【００５６】
すなわち、上記第１の実施形態、若しくは第２の実施形態として示された画像読取装置により原稿の画像を読み取り、この読み取った画像情報に基づいてシート材に画像形成を行なう画像形成手段を備える画像形成装置である。また、本発明に係る画像形成装置の実施形態が適用される装置とては、プリンタ、ＦＡＸ、複写機等を挙げることができる。
【００５７】
画像形成手段としては、電子写真方式の画像形成手段や、インクジェット式の画像形成手段や、バブルジェット式の画像形成手段等が適用できるが、これらに限定されるものではなくその他適宜な画像形成手段を適用することができる。
【００５８】
したがって、本発明に係る画像形成装置の実施形態においては、前述の本発明に係る画像読取装置の第１の実施形態及び第２の実施形態と同様の効果を得ることができる。
【００５９】
【発明の効果】
以上説明したように、本発明によれば、支持部材が走査体に回動自在に軸支されていると共に、接触部材がレール部材と支持部材との間の高さを調整可能であるため、接触部材がレールから浮くことを防止し、画像ブレを防止し、振動や異音等を発生させることなく安定して画像読み取りを行なうことが可能な画像読取装置及び画像形成装置を提供することができる。
【００６０】
さらに、第１のレール部材に対する走査体の移動を支持する第１の支持部材を備え、この第１の支持部材が走査体に一体的に形成されているため、走査体の強度を十分なものとすることができると共に、より安定した画像読み取りを行なうことが可能な画像読取装置及び画像形成装置を提供することができる。
【図面の簡単な説明】
【図１】本発明に係る画像読取装置の第１の実施形態が備える第２ミラー台の斜視図である。
【図２】図１に示されるミラー台の平面図である。
【図３】本発明に係る画像読取装置の第２の実施形態の第２ミラー台の斜視図である。
【図４】従来の画像読取装置の断面図である。
【図５】図４に示される第２ミラー台の長手側面図である。
【図６】図４に示される画像読取装置における位置調整の概略図である。
【図７】従来の画像読取装置の第２ミラー台の構造図である。
【符号の説明】
１  第１ミラー台
２  矢印
３  ランプ
４  プラテン
５  第２ミラー台
６  光学レール
６ａ，６ｂ  レール
７，８，９  固定式のスライダー
１０，１１  スライダー取付け板
１２  第１ミラー
１３  第２ミラー
１４  第３ミラー
１５  レンズ
１６  光電変換素子
１７，１７’  第２ミラーフレーム
１８  固定式のスライダー
１９  高さ調整式のスライダー
１９ａ  先端部
１９ｂ  雄ネジ部
２１  ワイヤープーリー
２２  ワイヤー
２３  スライダー取付け板
２４  支点軸
２５  スライダー取付け板
２６，２７  矢印
２８  スライダー取付け板
【図１】
0004467701.tif 000002
【図２】
0004467701.tif 000003
【図３】
0004467701.tif 000004
【図４】
0004467701.tif 000005
【図５】
0004467701.tif 000006
【図６】
0004467701.tif 000007
【図７】
0004467701.tif 000008